(57)【特許請求の範囲】
【請求項１】
洗浄水タンクに蓄えた洗浄水を吸い込んで飲料ディスペンサに供給する電動ポンプを平板状の上面によって上方を覆われた前面板を有するカバーにより覆蓋した持ち運び可能な箱体により構成され、該箱体の前記上面に前記飲料ディスペンサに飲料ホースの介して連結したディスペンサヘッドが着脱可能に上方から取付けられ取付口を設け、同箱体の前記前面板に前記電動ポンプの作動を制御する操作スイッチ、タイマ等の電気部品を設けたことを特徴とする飲料ディスペンサの洗浄装置。
【発明の詳細な説明】
【０００１】
【発明の属する技術分野】
本発明は、例えばビールなどの飲料を注出する飲料ディスペンサ内の飲料流路を洗浄する飲料ディスペンサの洗浄装置に関する。
【０００２】
【従来の技術】
従来から、例えば実開平６−４９３９８号公報に示されているように、箱体と、この箱体の外面に設けられ飲料ディスペンサのディスペンサヘッドを着脱可能に取り付ける取付口と、箱体内に設けられ洗浄水タンクからの洗浄水を吸い込んで取付口に送出するポンプと、箱体の外面に設けられスイッチ、タイマなどのようにポンプの作動を制御するための操作部分を有する電気部品とを備え、ポンプの作動により洗浄水タンクから吸い込んだ洗浄水を取付口に取り付けたディスペンサヘッドを介して飲料ディスペンサに送出して同ディスペンサ内の飲料流路を洗浄する飲料ディスペンサの洗浄装置はよく知られている。
【０００３】
【発明が解決しようとする課題】
上記従来の飲料ディスペンサの洗浄装置においては、ディスペンサヘッドを取付口に着脱する際に同ヘッドから飲料、洗浄水などの流体が漏れた場合、取付口に近接して電気部品を設けているので、漏れた液体が電気部品にかかりこの部品を濡らすという問題があった。また、ディスペンサヘッドを取付口に取り付けている状態にて取付口から液体が漏れた場合、取付口と操作部分を有する電気部品とを近接して箱体の上面にそれぞれ設けているので、液体が上面に沿って流れて電気部品に容易に到達しこの部品を濡らすという問題もあった。
【０００４】
本発明は、上記問題に対処するためになされたもので、その目的は、操作部分を有する電気部品がディスペンサヘッドまたは取付口から漏れた液体で濡れることを防止するようにした飲料ディスペンサの洗浄装置を提供することにある。
【０００５】
本発明は、上記の目的を達成するため、洗浄水タンクに蓄えた洗浄水を吸い込んで飲料ディスペンサに供給する電動ポンプを平板状の上面によって上方を覆われた前面板を有するカバーにより覆蓋した持ち運び可能な箱体により構成され、該箱体の前記上面に前記飲料ディスペンサに飲料ホースの介して連結したディスペンサヘッドが着脱可能に上方から取付けられ取付口を設け、同箱体の前記前面板に前記電動ポンプの作動を制御する操作スイッチ、タイマ等の電気部品を設けたことを特徴とする飲料ディスペンサの洗浄装置を提供するものである。
【０００６】
【発明の効果】
上記のように構成した飲料ディスペンサの洗浄装置においては、洗浄作業に際してディスペンサヘッド又はその取付口から飲料が漏れたり洗浄水が漏れても、漏れた液体は箱体の上面に沿って流れて同箱体の前面板に設けた電気部品に浸水せず当該洗浄装置の電気部品の浸水に起因する作動不良をなくすことができる。
【００１１】
【発明の実施の形態】
以下、本発明の一実施形態を図面を用いて説明する。図１は飲料ディスペンサ、同ディスペンサの洗浄装置及びその周辺の構成を示す斜視図であり、図２は飲料ディスペンサの洗浄装置の使用状態を機能的に示す概略図であり、図３は飲料ディスペンサの洗浄装置の平面図である。
【００１２】
図１及び図２により飲料ディスペンサ３０の説明をすると、この飲料ディスペンサ３０は、飲料を流入させるための流入口３３、飲料を流出するための流出口３４、流入口３３と流出口３４とを連結する飲料流路３１及び流出口３４に着脱可能に取り付けられて飲料を選択的に注出するための注出バルブ３５を備え、流入口３３から流入した飲料を飲料流路３１にて冷却器３６により冷却して注出バルブ３５の操作により注出できるようにしたものである。  流入口３３には飲料ホース３７を介してディスペンサヘッド３２が取り付けられており、このディスペンサヘッド３２にはガス供給源（例えば、炭酸ガスボンベ）４０が接続されている。この飲料ディスペンサ３０の使用にあたっては、ディスペンサヘッド３２をビール等の飲料が蓄えられた飲料容器５０の取付口に取り付けて（図１中２点鎖線で示す）、飲料容器５０内にガス供給源４０から例えば炭酸ガスを供給し、この炭酸ガスの圧力によって飲料容器５０内の飲料をディスペンサヘッド３２と飲料ホースを通して流入口３３に流入させ、飲料流路３１にて冷却器３６により冷却して注出バルブ３５の操作により注出する。
【００１３】
飲料ディスペンサ３０内の飲料流路３１を洗浄する飲料ディスペンサの洗浄装置１０は、洗浄水タンク２０から吸い込んだ洗浄水を飲料ディスペンサ３０に送出して洗浄するもので、図１〜図３に示すように、箱体１１と、ディスペンサヘッド３２が着脱可能に取り付けられる取付口１２と、箱体１１内に設けた洗浄水タンク２０からの洗浄水を吸い込んで取付口１２に送出するポンプ１３と、スイッチ１４ａ、タイマ１４ｂなどのようにポンプ１３の作動を制御するための操作部分を有する電気部品１４とを備えている。箱体１１は、正面板１１ａ１を有する本体１１ａとこの本体１１aを覆うカバー１１ｂからなる。カバー１１ｂは下方が開放された断面コ字状に形成したもので、その上面が本体１１aより長く形成されている。  カバー１１bはその正面側上縁部１１ｂ１が正面板１１ａ１よりも水平方向に突出するように本体１１ａにねじ止めされている。取付口１２は、ディスペンサヘッド３２の形状に応じた形状に上方に開口して円筒状に形成されていて、カバー１１ｂの上面に設けられている。スイッチ１４ａはポンプ１３の駆動を開始するためのものであり、タイマ１４ｂはポンプ１３の駆動時間を設定するためのものである。スイッチ１４aとタイマ１４ｂは、その操作部分を外側に露出させて正面板１１ａ１に設けられている。
【００１４】
なお、ポンプ１３には本体１１ａの背面板（図示しない）を貫通する洗浄水タンク接続ホース１５の一端が接続されており、洗浄水タンク接続ホース１５の他端にはプラグ１５ａが取り付けられている。カバー１１ｂ上面には、飲料ディスペンサの洗浄装置１０を持ち運ぶための取っ手１６、不使用時に洗浄水タンク接続ホース１５を飲料ディスペンサの洗浄装置１０に固定するための固定具１７が取り付けられている。飲料ディスペンサの洗浄装置１０には、商用電源から洗浄装置１０に電源を供給するための電源コード１８が本体１１ａの正面板１１ａ１を貫通して設けられている。
【００１５】
洗浄水タンク２０は、ポリエチレン製の容器であって、洗浄水を蓄えておくものである。洗浄水タンク２０上部の蓋２１には、下端がタンクの底部に到達するチューブ２２が取り付けられていて、接続ホース１５のプラグ１５ａが着脱可能に取り付けられる。
【００１６】
上述した飲料ディスペンサの洗浄装置を使用した飲料ディスペンサの洗浄方法について説明する。  まず、飲料ディスペンサの洗浄装置１０を作動させるための前準備を説明すると、ガス供給源４０の開閉バルブを閉じて炭酸ガスの供給を止め、飲料容器５０からディスペンサヘッド３２を取り外して洗浄装置１０の取付口１２に取り付け、その後に注出バルブ３５を開いて接続ホース１５のプラグ１５aを洗浄水タンク２０の蓋２１に取り付ける。これにより、洗浄水タンク２０のチューブ２２の下端から注出バルブ３５までが連通される。  この状態にて、洗浄装置１０の電源コード１８を商用電源に差し込む。
【００１７】
次に、飲料ディスペンサの洗浄装置１０の作動を説明すると、タイマ１４ｂによりポンプ１３の駆動時間を設定してスイッチ１４aの押し込み操作によりポンプ１３の駆動を開始される。  ポンプ１３の作動により、洗浄水タンク２０内の洗浄水がチューブ２２と接続ホース１５を通してポンプ１４に吸入され同ポンプの汲み上げ作動によりディスペンサヘッド３２、飲料ホース３７、流入口３３、飲料流路３１を通して供給され、注出バルブ３５から排出される。  これにより、ディスペンサヘッド３２、飲料ホース３７、流入口３３、飲料流路３１が洗浄される。  ポンプ１３の駆動時間が設定時間を経過するとポンプ１３の駆動が停止し、飲料ディスペンサの洗浄が終了する。その後に、注出バルブ３５を閉じて、洗浄装置１０の取付口１２からディスペンサヘッド３２を取り外して飲料容器５０に取り付け、ガス供給源４０の開閉バルブを開いて炭酸ガスの供給を開始する。
【００１８】
上記した洗浄作業においてディスペンサヘッド３２を取付口１２に着脱するとき同ヘッド３２から飲料、洗浄水などの液体が漏れた場合、電気部品１４（スイッチ１４ａ、タイマ１４ｂ）は取付口１２を設けた面とは異なる面に設けられ、かつ正面板１１ａ１よりも延びて突出したカバー１１ｂの正面側上縁部１１ｂ１により覆われているので、漏れた液体が電気部品１４に浸水するのを防止できる。また、ディスペンサヘッド３２を取付口１２に取り付けた状態にて取付口１２から液体が漏れた場合、この漏れた液体が取付口１２を設けた面とは異なる面に設けた電気部品１４に容易に到達することはほとんどないので、電気部品１４を漏れた液体で濡れ難くすることができる。さらに、漏れた液体は電気部品１４を設けた正面板１１ａ１に沿って流れ落ちないで、正面板１１ａ１よりも延びて突出したカバー１１ｂの正面側上縁部１１ｂ１端からこぼれ落ちるので、電気部品１４が漏れた液体で濡れるのを防止することができる。
【００２１】
なお、上記の実施形態においては、洗浄装置１０に取付口１２を一つだけ設けるようにしたが、互いに形状の異なる複数のディスペンサヘッドにそれぞれ応じた複数の取付口を設けるようにしてもよい。例えば、図４に示すように、取付口１２と取付口１２'をカバー１１ｂの上面に設け、これら取付口１２，１２'を切換バルブ１９を介してポンプ１３に接続する。取付口１２'はディスペンサヘッド３２'に応じた形状に、すなわち上下方向中央に周方向に沿った溝が設けられた円柱状に形成されている。切換バルブ１９は、その操作部分が箱体１１の外側に露出するように設けられており、洗浄水を取付口１２に送出するときにポンプ１３と取付口１２を連通するように切り換えられ、洗浄水を取付口１２'に送出するときにポンプ１３と取付口１２'を連通するように切り換えられる。この洗浄装置には形状の異なるディスペンサヘッドが取り付けられるので、一つの洗浄装置で形状の異なるディスペンサヘッドを有する複数の飲料ディスペンサを洗浄することができる。
【図面の簡単な説明】
【図１】  本発明の一実施形態に係る飲料ディスペンサ、同ディスペンサの洗浄装置及びその周辺の構成を示す斜視図である。
【図２】  図１の飲料ディスペンサの洗浄装置の使用状態を機能的に示す概略図である。
【図３】  図１，２の飲料ディスペンサの洗浄装置の平面図である。
【図４】  本発明の変形例に係る飲料ディスペンサの洗浄装置を機能的に示す概略図である。
【符号の説明】
１０…飲料ディスペンサの洗浄装置、１１…箱体、１１ａ１…正面板、１１ａ…本体、１１ｂ…カバー、１１ｂ１…正面側上縁部、１２，１２'…取付口、１３…ポンプ、１４…電気部品、１４ａ…スイッチ、１４ｂ…タイマ、１５…洗浄水タンク接続ホース、１５ａ…プラグ、１６…取っ手、１７…固定具、１８…電源コード、１９…切換バルブ、２０…洗浄水タンク、２１…蓋、２２…チューブ、３０…飲料ディスペンサ、３１…飲料流路、３２，３２'…ディスペンサヘッド、３３…流入口、３４…流出口、３５…注出バルブ、３６…冷却器、３７…飲料ホース、４０…ガス供給源（例えば、炭酸ガスボンベ）、５０…飲料容器。
【図１】
0003689281.tif 000002
【図２】
0003689281.tif 000003
【図３】
0003689281.tif 000004
【図４】
0003689281.tif 000005